(57)【要約】【課題】手持ちのハンカチ、タオル、ナプキン等を装着するだけで食事用の簡易エプロンとして機能させることができるエプロンホルダーを提供する。【解決手段】長さを自在に調節し得る連結具２を有し、連結具２に丸かん４でチェーン１を接続し、チェーン１の両端部にそれぞれ把持具接続具５を丸かん４で接続し、ハンカチ、タオル、ナプキン７等を把持し得る把持具６を把持具接続具５に取り外し自在に設けた。また、把持具６としてイヤリングなどを用いることができる。【選択図】　図１
0003097307.tif 000002
【実用新案登録請求の範囲】
【請求項１】
長さを自在に調節し得る連結具を有し、前記連結具に丸かんでチェーンを接続し、前記チェーンの両端部にそれぞれ把持具接続具を丸かんで接続し、ハンカチ、タオル、ナプキン等を把持し得る把持具を前記把持具接続具に取り外し自在に設けたことを特徴とするエプロンホルダー。
【請求項２】
前記把持具としてイヤリングを用いることを特徴とする請求項１記載のエプロンホルダー。
【請求項３】
長さが可変のコイル状のひもの両端部に把持具接続具を備え、ハンカチ、タオル、ナプキン等を把持し得る把持具を前記把持具接続具に取り外し自在に設けたことを特徴とするエプロンホルダー。
【考案の詳細な説明】
【０００１】
【考案の属する技術分野】
本考案は、ハンカチ、タオル、ナプキン類等を食事用のエプロンとして使用可能にするエプロンホルダーに関するものである。
【０００２】
【従来の技術】
従来の食事用のエプロンは、装着具が首の後ろ側についており、装脱着に際し、首の後ろでの作業を要するものであった。また、従来のエプロンクリップとしては、特許文献１に記載されたようなチェーンの両方に、わに口クリップとわに口クリップをＣかんでつなげ、チェーンの片方には引き輪をつけ、チェーンの長さ調整が自由にできるようにしたアクセサリーのにもなるアクセサリーハンカチーフクリップが考案されている。
【０００３】
【特許文献１】
実開平５−２０６０８号公報
【０００４】
【考案が解決しようとする課題】
しかしながら、従来のエプロンは、衣服を汚れから防ぐ労働機能重視のものであり、外出時の携帯の不便さや、外出先での使用にいささか遠慮があった。そのため、美観を損ねることもなく、衣服を汚れから妨げるものがないため、つねに汚れの心配がつきまとっていた。また、障害者（片手使用可の者）や、高齢者などは、装脱着に際し、首の後ろでの作業を要する従来のエプロンの自分自身での装脱着は極めて困難なものであったため、常に人の介助が必要でエプロン掛けに手間を要するという不都合があった。さらに、特許文献１記載のアクセサリーハンカチーフクリップでは、クリップがチェーンとＣかんにより接続されており、クリップを取り外して交換することは容易にはできなかった。また、イヤリングをクリップとして応用することはできなかった。
【０００５】
本考案は、上記問題点を解決するため、手持ちのハンカチ、タオル、ナプキン等を装着するだけで食事用の簡易エプロンとして機能させることができるエプロンホルダーを提供することにある。
【０００６】
【課題を解決するための手段および作用】
そこで、本考案の第１のエプロンホルダー（請求項１に対応）は、長さを自在に調節し得る連結具を有し、連結具に丸かんでチェーンを接続し、チェーンの両端部にそれぞれ把持具接続具を丸かんで接続し、ハンカチ、タオル、ナプキン等を把持し得る把持具を把持具接続具に取り外し自在に設けたことで特徴づけられる。また、本考案の第２のエプロンホルダー（請求項２に対応）は、上記の構成において、好ましくは把持具としてイヤリングを用いることも特徴としている。さらに、本考案の第３のエプロンホルダー（請求項３に対応）は、長さが可変のコイル状のひもの両端部に把持具接続具を備え、ハンカチ、タオル、ナプキン等を把持し得る把持具を把持具接続具に取り外し自在に設けたことで特徴づけられる。
【０００７】
本考案のエプロンホルダーによれば、ハンカチ、タオル、ナプキン類等の両端を各把持具で挟むだけで簡易エプロンとなり、連結具の長さを適宜調節することにより、適正な位置に保持されるように作用する。また、把持具の取り替えも可能なため、把持具としてイヤリングなどを用い、アクセサリー感覚での利用もできる。さらに、手持ちのタオル類、ハンカチ、ナプキン類等を食事用のエプロンとして使用可能となり、障害者（片手使用可）や高齢者のような介助を必要とする者が一人でエプロン掛けを迅速に行えることにより介護している側のエプロン掛けに手間を要していた事態を解消することができる。
【０００８】
【考案の実施の形態】
以下、本考案を図面に基づいて説明する。
【０００９】
図１は、本考案による第１の実施形態に係るエプロンホルダー（アクセサリーエプロンホルダー）の斜視図である。図２は、図１に示すアクセサリーエプロンホルダーの側面図である。図３は、図１に示すアクセサリーエプロンホルダーの使用状態を示す斜視図である。
【００１０】
本考案のアクセサリーエプロンホルダー（１０）は、長さを自在に調節し得る連結具（アジャスター）（２）を有し、連結具（２）に丸かん（４）でチェーン（１）を接続し、チェーン（１）の両端部にそれぞれ把持具接続具（カニかん）（５）を丸かん（４）で接続し、ハンカチ、タオル、ナプキン等を把持し得る把持具（クリップ、イヤリングなど）（６）を把持具接続具（５）に取り外し自在に設ける。
【００１１】
（ａ）金属類のチェーン（１ａ）の両端に、丸かん（４）で連結具（アジャスター）（２）とカニかん（５）を取り付ける。アジャスター（２）の使用により、チェーン（１）の長さ調整ができるようになっている。
（ｂ）金属類のチェーン（１ｂ）の両端に、丸かん（４）で引き輪（３）とカニかん（５）を取り付ける。
（ｃ）カニかん（５）で把持具を取り付ける。カニかん（５）を使用することによって、クリップとイヤリングの取り替えが可能である。
【００１２】
図３で示すように、チェーン（１）を首にまき、チェーンの先端に接続されたクリップやイヤリングなどの把持具（６）にハンカチ、タオル、ナプキン（７）などを取り付けることにより、簡単にエプロンにすることができる。
【００１３】
図４は、本考案による第２の実施形態に係るエプロンホルダーの斜視図である。図５は、図４に示すエプロンホルダーの側面図である。図６は、図４に示すエプロンホルダーの使用状態を示す斜視図である。
【００１４】
本考案のエプロンホルダー（２０）は、長さを自在に変えることができるビニール等でできたコイル状のひも（２１）の両端部にそれぞれ把持具接続具
（２２）を備え、ハンカチ、タオル、ナプキン等を把持し得る把持具（クリップなど）（２３）を把持具接続具（２２）に取り外し自在に設ける。
【００１５】
ビニール等でできたコイル状のひも（２１）の両端に、接続具（２２）でクリップ（２３）を取り付ける。ひも（２１）はコイル状なので長さ可変になっている。接続具（２２）を使用することによって、クリップの取り替えが可能である。
【００１６】
図６で示すように、ひも（２１）を首にまき、ひも（２１）の先端に接続されたクリップなどの把持具（２３）にハンカチ、タオル、ナプキン（２４）などを取り付けることにより、簡単にエプロンにすることができる。
【００１７】
【考案の効果】
本考案によれば、手持ちのハンカチ、タオル、ナプキン（紙ナプキン）等を簡易エプロンとして使用することができるため、携帯も便利で、特に外出時に重宝する。また、アジャスター（２）を有し、首周り等体型に応じて長さを適宜調節することにより、エプロン部分を適正な位置に保持することができる。さらに、把持具の取り替え可能であるため、イヤリングの使用もでき、おしゃれも楽しめる見た目も美しいアクセサリー感覚でつけられ、衣服の汚れを防ぐことができる効果がある。また、手持ちのタオル類、ハンカチ、ナプキン類等を食事用のエプロンとして使用可能となり、障害者（片手使用可）や高齢者のような介助を必要とする者が一人でエプロン掛けを迅速に行えることにより介護している側のエプロン掛けに手間を要していた事態を解消することができる。さらに、人の助けを必要とする者が今までできなかった作業が自分自身でできるようになることで、本人の自信につながる。さらに、帽子とえりに挟むと帽子が脱げた時も落ちない帽子留めになり紛失を妨げる。また、上着の前をとめると、上着のズレを防ぎ、上着の前留めとしても使用できるなど衣服類の留め用具としても効果が発揮できる。個人個人の多様な利用方法が期待され、可能である。
【図面の簡単な説明】
【図１】本考案の第１の実施形態に係るエプロンホルダーの斜視図である。
【図２】本考案の第１の実施形態に係るエプロンホルダーの側面図である。
【図３】本考案の第１の実施形態に係るエプロンホルダーの使用状態を示す斜視図である。
【図４】本考案の第２の実施形態に係るエプロンホルダーの斜視図である。
【図５】本考案の第２の実施形態に係るエプロンホルダーの側面図である。
【図６】本考案の第２の実施形態に係るエプロンホルダーの使用状態を示す斜視図である。
【符号の説明】
１　　　　　　チェーン
２　　　　　　アジャスター
３　　　　　　引き輪
４　　　　　　丸かん
５　　　　　　カニかん（把持具接続具）
６　　　　　　装飾品把持具（クリップ、手持ちのイヤリング）
１０　　　　　エプロンホルダー
【図１】
0003097307.tif 000003
【図２】
0003097307.tif 000004
【図３】
0003097307.tif 000005
【図４】
0003097307.tif 000006
【図５】
0003097307.tif 000007
【図６】
0003097307.tif 000008